(57)【要約】【課題】使い勝ってが良く、かつ、化粧効果に優れ、更にはマッサージ効果が期待できる化粧用具を提供することである。【解決手段】卵形の化粧具であって、前記化粧具は、外形が卵形の内部体と、前記内部体の表面に均一厚さで設けられた殻体とを具備し、前記内部体はセラミック素材で構成されてなり、前記殻体は、ビタミンＣ、真珠粉末、プロポリス、コラーゲン、及び幹細胞成分を含有する素材で構成されてなる。【選択図】図１
2018201758.tif 000002
【特許請求の範囲】
【請求項１】
卵形の化粧具であって、
前記化粧具は、外形が卵形の内部体と、前記内部体の表面に均一厚さで設けられた殻体とを具備し、
前記内部体はセラミック素材で構成されてなり、
前記殻体は、ビタミンＣ、真珠粉末、プロポリス、コラーゲン、及び幹細胞成分を含有する素材で構成されてなる
卵形化粧具。
【請求項２】
卵形の化粧具であって、
前記化粧具は、外形が卵形の内部体と、前記内部体の表面に均一厚さで設けられた殻体とを具備し、
前記内部体はセラミック素材で構成されてなり、
前記殻体は化粧剤を含有する素材で構成されてなる
卵形化粧具。
【請求項３】
前記内部体が多孔質体である
請求項１又は請求項２の卵形化粧具。
【請求項４】
前記殻体は真珠粉末とその他の化粧剤成分とを含有してなり、
前記真珠粉末１００質量部に対して、前記その他の化粧剤成分が１０〜５０００質量部である
請求項１〜請求項３いずれかの卵形化粧具。
【請求項５】
ビタミンＣ、真珠粉末、プロポリス、コラーゲン、及び幹細胞成分を含有する塗料が前記内部体の表面に塗布・乾燥されてなる
請求項１〜請求項４いずれかの卵形化粧具。
【請求項６】
卵形の化粧具の製造方法であって、
セラミック素材を卵形に成形する内部体成形工程と、
前記内部体成形工程の後、前記内部体の表面にビタミンＣ、真珠粉末、プロポリス、コラーゲン、及び幹細胞成分を含有する化粧剤成分の含有塗料を塗布し、乾燥して均一な膜厚の前記化粧剤成分含有膜を構成する成膜工程
とを具備する卵形化粧具の製造方法。
【請求項７】
卵形の化粧具の製造方法であって、
セラミック素材を卵形に成形する内部体成形工程と、
前記内部体成形工程の後、前記内部体の表面に化粧剤含有塗料を塗布し、乾燥して均一な膜厚の前記化粧剤含有膜を構成する成膜工程
とを具備する卵形化粧具の製造方法。
【発明の詳細な説明】
【技術分野】
【０００１】
本発明は卵形化粧具に関する。
【背景技術】
【０００２】
従来より各種の化粧具が提案されている。
【先行技術文献】
【特許文献】
【０００３】
【特許文献１】特開２０１６−０５９３９０
【特許文献２】特開２０１４−０１４６６８
【発明の概要】
【発明が解決しようとする課題】
【０００４】
しかし、使い勝ってが良く、かつ、化粧効果に優れ、更にはマッサージ効果が期待できる化粧用具は提案されていなかった。
【０００５】
従って、本発明が解決しようとする課題は、使い勝ってが良く、かつ、化粧効果に優れ、更にはマッサージ効果が期待できる化粧用具を提供することである。
【課題を解決するための手段】
【０００６】
本発明は、
卵形の化粧具であって、
前記化粧具は、外形が卵形の内部体と、前記内部体の表面に均一厚さで設けられた殻体とを具備し、
前記内部体はセラミック素材で構成されてなり、
前記殻体は化粧剤を含有する素材で構成されてなる
卵形化粧具を提案する。
【０００７】
本発明は、
卵形の化粧具であって、
前記化粧具は、外形が卵形の内部体と、前記内部体の表面に均一厚さで設けられた殻体とを具備し、
前記内部体はセラミック素材で構成されてなり、
前記殻体は、ビタミンＣ、真珠粉末、プロポリス、コラーゲン、及び幹細胞成分を含有する素材で構成されてなる
卵形化粧具を提案する。
【０００８】
本発明は、前記卵形化粧具であって、前記内部体が多孔質体である卵形化粧具を提案する。
【０００９】
本発明は、前記卵形化粧具であって、前記殻体は真珠粉末とその他の化粧剤成分とを含有してなり、前記真珠粉末１００質量部に対して前記その他の化粧剤成分が１０〜５０００質量部である卵形化粧具を提案する。
【００１０】
本発明は、前記卵形化粧具であって、前記化粧剤を含有する塗料が前記内部体の表面に塗布・乾燥されてなる卵形化粧具を提案する。
【００１１】
本発明は、前記卵形化粧具であって、前記ビタミンＣ、真珠粉末、プロポリス、コラーゲン、及び幹細胞成分を含有する塗料が前記内部体の表面に塗布・乾燥されてなる卵形化粧具を提案する。
【００１２】
本発明は、
セラミック素材を卵形に成形する内部体成形工程と、
前記内部体成形工程の後、前記内部体の表面に化粧剤含有塗料を塗布し、乾燥して均一な膜厚の前記化粧剤含有膜を構成する成膜工程
とを具備する卵形化粧具の製造方法を提案する。
【００１３】
本発明は、
セラミック素材を卵形に成形する内部体成形工程と、
前記内部体成形工程の後、前記内部体の表面にビタミンＣ、真珠粉末、プロポリス、コラーゲン、及び幹細胞成分を含有する化粧剤成分の含有塗料を塗布し、乾燥して均一な膜厚の前記化粧剤成分含有膜を構成する成膜工程
とを具備する卵形化粧具の製造方法を提案する。
【発明の効果】
【００１４】
使い勝ってが良く、かつ、化粧効果に優れ、更にはマッサージ効果が期待できる化粧用具が得られた。
【図面の簡単な説明】
【００１５】
【図１】本発明の卵形化粧具の概略断面図
【発明を実施するための形態】
【００１６】
第１の発明は化粧具である。前記化粧具の外形は卵形（丸形）である。前記化粧具は、例えば二層構造である。二層構造は内部体と殻体とよりなる。尚、前記化粧具は、三層以上の構造でも良い。このような場合でも、一番外側の殻体と、前記殻体より内側の層、即ち、内部体とに分けることが出来る。三層以上の構造の場合、前記内部体が二層以上の層で出来ていると考えることが出来る。前記内部体の外形は卵形である。前記殻体は、前記内部体の表面に均一な厚さで設けられた層（殻）である。尚、均一な厚さとは、±１０％程度の変動が有っても差し支えない。内部体は、ゆで卵に喩えられた場合、黄身と白身との部分、即ち、殻が除かれた部分である。前記内部体は、勿論、卵形（丸形）である。前記内部体はセラミック素材で構成されている。特に、多孔質であるように構成されている。尚、例えばプラスチック（例えば、発泡樹脂材）で構成することも出来る。或いは、石鹸材料で構成することも出来る。若しくは、金属材料で構成することも出来る。前記殻体は化粧剤含有層である。前記殻体（化粧剤含有層：化粧剤成分含有層：化粧剤層：化粧剤成分層）の厚さは略一定である。例えば、約０．５ｍｍ〜１ｃｍである。前記殻体（化粧剤含有層：化粧剤成分含有層：化粧剤層：化粧剤成分層）は、例えばビタミンＣ、真珠粉末、プロポリス、コラーゲン、及び幹細胞成分を含有する素材で構成されている。例えば、ビタミンＣ、真珠粉末、プロポリス、コラーゲン、及び幹細胞成分を含有する化粧剤成分の含有塗料が前記内部体の表面に均一厚さで塗布・乾燥されて構成される。前記殻体を構成する化粧剤含有層（化粧剤成分含有層：化粧剤層：化粧剤成分層）は、好ましくは、真珠粉末を含有する。勿論、真珠粉末以外の化粧剤成分を含有することが好ましい。例えば、ビタミンＣ、プロポリス、コラーゲン、幹細胞成分などである。前記真珠粉末１００質量部に対して、前記その他の化粧剤成分は、好ましくは、１０〜５０００質量部である。ビタミンＣとプロポリスとコラーゲンと幹細胞成分との割合は、ビタミンＣ１００質量部に対して、例えばプロポリスは１０〜５００質量部、コラーゲンは１０〜５００質量部、幹細胞成分は１０〜５００質量部である。ヒト由来の幹細胞を培養した場合、ペプチドが生成する。このペプチドは、複数のアミノ酸の結合体で、幹細胞を活性化させる働きを持っている。この幹細胞が補われると、新しい細胞が次から次へと生み出される。この幹細胞の培養液が配合されていると、肌の再生が促される。幹細胞には種々な幹細胞が有る。その中でもヒト由来の幹細胞が好ましい。すなわち、人間の肌には同じ人間が持つ成分が合うと考えられることから、ヒト由来の幹細胞、特に、ヒトの脂肪由来の幹細胞が好ましい。ヒトの脂肪由来の幹細胞が培養されると、他の細胞を培養しても得られないサイトカインというアンチエイジング成分が生成され、アンチエイジングや美肌効果が期待される。前記内部体は卵形（丸形）であり、前記殻体（化粧剤成分含有層：化粧剤成分層）の厚さは一定であるから、前記殻体の外形は、勿論、卵形（丸形）である。前記殻体の外形は、その表面部分を手（掌）で持つことが可能な大きさである。従って、外形は長軸方向の長さが５〜���０ｃｍ程度である。短軸方向の長さが３〜８ｃｍ程度である。
【００１７】
第２の発明は化粧具の製造方法である。前記方法は、セラミック素材を卵形に成形する内部体成形工程を具備する。例えば、セラミック素材で多孔質な卵形の内部体成形工程を具備する。前記内部体成形工程の後、前記内部体の表面に化粧剤含有塗料を塗布し、乾燥して均一な膜厚の前記化粧剤含有膜を構成する成膜工程を具備する。例えば、ビタミンＣ、真珠粉末、プロポリス、コラーゲン、及び幹細胞成分を含有する化粧剤成分の含有塗料を塗布し、乾燥して均一な膜厚の前記化粧剤成分を含有する層（化粧剤含有層：化粧剤成分含有層：化粧剤層：化粧剤成分層（膜））を構成する成膜工程を具備する。
【００１８】
以下、具体的な実施形態が挙げられる。但し、本発明は以下の実施形態の例にのみ限定されない。本発明の特長が大きく損なわれない限り、各種の変形例や応用例も本発明に含まれる。
【００１９】
図１は本発明の卵形化粧具の概略断面図である。
【００２０】
図中、１は卵形化粧具である。
【００２１】
２は、内部体（ゆで卵に喩えた場合、黄身と白身との部分。殻を除いた部分。）である。内部体２は、セラミック材料によって多孔質な卵形に構成されている。多孔質としたのは、手に持った際に、重量感を感じさせない為である。更に、内部体（多孔質体）２と後述の殻体（化粧剤成分含有膜：化粧剤層）との一体化力を高め、即ち、殻体（化粧剤成分含有膜：化粧剤層）が剥落し難くする為である。
【００２２】
３は殻体である。塗料（真珠粉末、ビタミンＣ、プロポリス、コラーゲン、及び幹細胞成分を含有（真珠粉末：ビタミンＣ：プロポリス：コラーゲン：幹細胞成分＝１００質量部：５００質量部：５０質量部：１０００質量部：５０質量部）する化粧剤成分の含有塗料）が内部体２の表面に所定厚さ塗布されて乾燥された場合、前記内部体２の表面には塗膜（塗料層：ビタミンＣ、真珠粉末、プロポリス、コラーゲン、及び幹細胞成分を含有する化粧剤成分の含有塗膜）が設けられる。この塗膜（前記化粧剤成分を含有した塗膜層（化粧剤成分含有膜：化粧剤層））が殻体３である。前記塗料（ビタミンＣ、真珠粉末、プロポリス、コラーゲン、及び幹細胞（ヒトの脂肪由来の幹細胞）成分を含有する化粧剤成分の含有塗料）が内部体２の表面に塗布された場合、塗布液の一部は内部体（多孔質体）２の孔（穴）内に嵌り込む。そして、植物の根のように張ることになる。従って、殻体（化粧剤成分含有膜：化粧剤層）３は簡単には脱落しなくなる。殻体（化粧剤成分含有膜：化粧剤層）３の厚さは０．５ｍｍ〜１ｃｍである。殻体（化粧剤成分含有膜：化粧剤層）３は、ビタミンＣ、真珠粉末、プロポリス、コラーゲン、及び幹細胞成分を含有する化粧剤成分の含有塗料を内部体２の表面に所定厚さだけ塗布し、乾燥することによって構成されたものである。殻体（化粧剤成分含有膜：化粧剤層）３の外形は、長軸方向の長さが５〜１０ｃｍ、短軸方向の長さが３〜８ｃｍである。
【００２３】
上記のように構成させた卵形化粧具１の使用方法を説明する。卵形化粧具１を手に持ち、先端側を、例えば顔の皮膚に押し当てる。化粧具１は卵形であるから、非常に、持ち易い。かつ、皮膚に押し当てる作業（動作）が遣り易い。長時間の化粧作業（動作）を行っていても疲れ難い。化粧具１を皮膚に押し当てた後、適度な力で押し付けながら化粧具１を往復動させる。すると、卵形化粧具１によって皮膚は適度なマッサージを受けることになる。かつ、卵形化粧具１の表面層の化粧剤成分含有膜（化粧剤層）３の化粧剤成分が皮膚の側に乗り移る。皮膚側に乗り移った化粧剤成分は卵形化粧具１によって皮膚内部に押し込まれるようになる。すなわち、化粧剤成分が効果的に皮膚に作用するようになる。ここで、ビタミンＣ、プロポリス、コラーゲン、及び幹細胞成分は、皮膚（肌）の美容上の観点から選ばれた成分である。これに対して、真珠粉末は前記成分とは多少違った作用を奏する。一つは研磨作用である。すなわち、殻体（化粧剤成分含有膜（化粧剤層））３に真珠粉末を含有させておくことによって、殻体３が皮膚（肌）に押し付けられて往復動させられた場合、前記含有真珠粉末によって皮膚（肌）表層の汚れが落とされるようになる。従って、皮膚（肌）表層を覆っていた汚れがなくなることから、前記皮膚（肌）表層に付着した前記ビタミンＣ、プロポリス、コラーゲン、及び幹細胞成分が皮膚（肌）内に効果的に取り込まれるようになる。そして、前記含有真珠粉末が皮膚（肌）表面に付着して残っていた場合、美白効果が奏される。
【符号の説明】
【００２４】
１      卵形化粧具
２      内部体（多孔質体）
３      殻体（化粧剤含有層：化粧剤成分含有層：化粧剤層：化粧剤成分層）
【図１】
2018201758.tif 000003